(57)【特許請求の範囲】
【請求項１】
建築物の壁面開口部に設けてある躯体に固定するベース枠部材と、前記壁面開口部を直接若しくは間接に閉塞するパネルを受け入れる受枠部材とを少なくとも有し、前記受枠部材には、前記ベース枠部材に向かって延在可能なスライド機構を設け、前記ベース枠部材を躯体に固定した状態で、前記スライド機構を介してベース枠部材に前記受枠部材を固定するとともに、前記スライド機構は、受枠部材に取り付けるガイドアダプターと、前記受枠部材と前記ガイドアダプターとにより構成されるスライド空部内に移動可能に収納したスライドフィンとによって構成し、スライド用ビスによってスライドフィンを移動させるとともに、止着用ビスによってスライドフィンをベース枠部材に固定してなることを特徴とする建築物用開口部枠材。
【発明の詳細な説明】
【０００１】
【発明の属する技術分野】
本発明は、建築物の開口部に取り付ける開口部枠材及びその施工方法に関するもので、例えば店舗用建築物の開口部に嵌め殺し窓として、若しくは引き戸や回転窓として効果的に使用することができる。
【０００２】
【従来の技術】
周知のように、建築物の壁面開口部に開口部枠材を固定するには、例えば特開平９−１１２１３４号公報に記載の工法がある。
この従来工法は、概略すると躯体の差筋とサッシのアンカーとを建築現場において溶接で固定し、溶接で固定されたアンカーにサッシを固定し、サッシと躯体との間にモルタルを充填した湿式工法である。
この従来工法によれば、建築現場で溶接作業を行うのできわめて手間と労力とを要し、特に溶接は国家資格を有するものでなければ作業することができないので高度の熟練を要することになる。また、建築現場においてモルタルを使用した湿式工法では、モルタルの養生に時間を要するので、その間に額縁、ボード、パネルなどの内装工事や外装工事を行えないため、建築期間が長期化することになる。
そこで、特開平８−２６０８２５号公報に記載されているように、躯体に埋設したアンカーに取り付け用ファスナーを介して取付用部材を固定し、前記取付用部材にサッシ枠を取り付けるようにした、モルタルを使用しない乾式工法が提案されている。
【０００３】
【発明が解決しようとする課題】
しかし、前記従来の乾式工法であっても、充分な効果を得ることができない。即ち、躯体により形成される開口部は寸法精度があまり高くないが、サッシ枠は高精度の寸法であるから、躯体とサッシ枠との寸法差は前記取付け用ファスナーで調整している。したがって、数本のファスナーを個別に操作して躯体とサッシ枠との寸法差を補正しなければならないのできわめて手間が掛かるばかりでなく、高精度に補正をすることが困難で、しかもサッシ枠を強固に支持することができないので、躯体とサッシ枠との間に発生する空間にモルタルを充填する必要があり、実質的に湿式工法と同様の欠点を有する。
したがって本発明は、モルタルを全く使用しない乾式工法であっても、躯体とサッシ枠との寸法差を簡単に、確実に高精度に補正することができ、また作業順序に制約を受けなくて施工期間を短縮できるばかりでなく、熟練を要さなくても確実に、各部材をきわめて簡単に、強固に固定することができることを目的とする。
【０００４】
【課題を解決するための手段】
前記目的を達成するため、本発明は建築物の壁面開口部に設けてある躯体に固定するベース枠部材と、前記壁面開口部を直接若しくは間接に閉塞するパネルを受け入れる受枠部材とを少なくとも有し、前記受枠部材には、前記ベース枠部材に向かって延在可能なスライド機構を設け、前記ベース枠部材を躯体に固定した状態で、前記スライド機構を介してベース枠部材に前記受枠部材を固定してなる建築物用開口部枠材、及びその施工方法に関するものである。
【０００５】
また本発明によれば、スライド機構は、受枠部材に取り付けるガイドアダプターと、前記受枠部材と前記ガイドアダプターとにより構成されるスライド空部内に移動可能に収納したスライドフィンとによって構成し、スライド用ビスによってスライドフィンを移動させるとともに、止着用ビスによってスライドフィンをベース枠部材に固定してなる態様も包含するものである。
【０００６】
【発明の実施の形態】
以下に本発明を図面に示す実施の態様に基づいて説明する。
図１は本発明の枠部材の実施の形態を示す分解斜視図、図２は枠部材を開口部躯体に取り付ける途中の一部の断面図、図３は枠部材を躯体に固定した状態の一部の縦断面図、図４は建築物の開口部に取り付けた状態の縦断面図、図５は同上の横断面図である。
【０００７】
本発明の開口部枠材１は、上枠２、下枠３及び左右の縦枠４とからなり、前記上枠２及び左右の縦枠４は同一断面の枠部材５で構成するが、下枠３だけは異なった断面の下枠部材６を使用することもできる。
【０００８】
前記枠部材５は、図１で示すように、建築物の開口部ａの端面に設けてある躯体ｂに固定するベース枠部材１１と、前記開口部ａを閉塞するパネルｃを直接、若しくはパネル枠を介して嵌め付ける受枠部材２１とからなり、前記ベース枠部材１１と受枠部材２１とに額縁枠部材３１を係止固定して室内側を装飾することもできる。
図面に示す実施の形態では、受枠部材２１にパネルを直接嵌め付ける実施例を示している。
【０００９】
前記ベース枠部材１１は、躯体ｂに固定する平板状のベース部１２を有し、前記ベース部１２の室外側の側縁には対向する一対の止着片からなる先端部開放の溝状の止着部１３を長さ方向に沿って設けるとともに、室内側の側縁には前記止着部１３と平行に額縁受けアーム１４をＬ字状に設け、前記額縁受けアーム１４の先端に鉤状の係止フック１５と、前記アーム１４の先端から室内側に直角に屈曲する額縁受止片１６とを設けた構成であり、例えばアルミニウムの押し出し成形により形成する。
【００１０】
前記受枠部材２１は、ベース板部２２の内側面に、室外側及び室内側の第１中空枠部２３を対向状に設けてその間にパネル溝部２４を構成し、前記ベース板部２２の外側面の室外側に第２中空部２５を形成した中空枠材であり、前記ベース板部２２の中央位置に長さ方向に沿ってビスを挿通する厚肉なビス支持部２６を設けてある。したがって、前記第２中空部２５を設けていないベース板部２２の外側面の室内側に、第２中空部２５の室内面により区画されて構成される切欠空部２７が形成されている。
また、前記ベース板部２２の室内側の端縁には、Ｌ字状の額縁受け部２８を設けてある。
【００１１】
前記額縁枠部材３１は、アルミニウムを押し出し成形したＬ字状の型枠部材で、一端部には前記額縁受け部２８に嵌着固定する横向き溝枠状の嵌着部３２を設けるとともに、途中に前記ベース枠部材１１の係止フック１５に係止固定される係合フック３３を直立状に設け、またＬ字状の他端側の先端部には緩衝材の受けポケット部３４を設ける。
【００１２】
本発明で使用する枠部材５は、前記ベース枠部材１１、受枠部材２１が少なくとも必須の構成要件であり、ベース枠部材１１に受枠部材２１を取り付けるためのスライド機構４１を使用する。
前記スライド機構４１は、横向きＬ字状の囲い枠部４２及び前記囲い枠部４２の下端から室内側に延在する取付部４３を有するガイドアダプター４４と、縦方向の止着片４５と横方向の押圧片４６とによりＬ字状となっているスライドフィン４７とからなる。
【００１３】
前記下枠３は、開口部枠材１の内部に嵌め付けたガラス、化粧板などのパネルｃの下縁を処理する必要があるから、前記枠部材５とは僅かに異なった構成である。
【００１４】
即ち、下枠３の下枠部材６は、図４の下方で示すように、ベース枠部材１１の断面構造が前記枠部材５と相違し、止着部１３が溝状ではなくて平板状である。また、受枠部材２１には室外側の第１中空部２３がなくてパネル溝部２４が室外側に開放して形成され、また室外側と室内側に第２中空部２５を設け、スライド機構４１を設けていない。
図４の下方に記載した下枠３の構成において、説明していない符号は前記枠部材５の同一符号と同一の構成であるから、詳細な説明は省略する。
【００１５】
前記ベース枠部材１１、受枠部材２１及びスライド機構４１を使用し、また必要に応じて額縁枠部材３１を利用して枠部材５とし、上枠２、下枠３、縦枠４として躯体ｂに組み付けるには、あらかじめ上枠、下枠及び左右の縦枠に相当するベース枠部材１１を縦通し、若しくは横通しにして額縁状の枠体に組み立て、この額縁状枠体を壁面の開口部内に位置させ、各ベース枠部材１１のベース部１２を躯体ｂの表面にあてがって固定ビスｄによりベース枠部材１１を躯体ｂに固定する。
したがって、各ベール枠部材１１により組み立てられる額縁状の枠体は、開口部の内側に強固に固定されることになり、躯体との間に寸法差があっても固定ビスｄにより無理なく固定される。
【００１６】
次に、あらかじめ上枠、左右の縦枠の受枠部材２１にスライド機構４１を組み付ける。
前記受枠部材２にスライド機構４１を組み付けるには、図１，２で示すように、ベース板部２２の表面に取付部４３をあてがって固定ビスｄ’によりガイドアダプター４４を切欠空部２７の位置に取り付け、第２中空部２５の室内側面、ベース板部２２の中央部分表面及び囲い枠部４２で囲まれる部分にスライド空部４８を形成するとともに、前記スライド空部４８に押圧片４６を収納してスライドフィン４７を上下動可能に保持し、止着片４５を第２中空部２５の室内側面に沿わせてスライド空部４８から外部に延長させる。そして、パネル溝部２４からビス支持部２６に螺着するスライド用ビスｅの先端部をスライド空部４８の内部に突出させて押圧片４６に押圧させる。
【００１７】
前記のようにして受枠部材２１にスライド機構４１を組み付けたら、上枠及び左右の縦枠に相当する受枠部材２１、及び下枠３用の下枠部材６を縦通し、若しくは横通しにして額縁状枠体に組み立て、この額縁状枠体を、躯体ｂに固定した前記額縁状ベース枠部材１１の内側面に沿うように位置させ、各枠の止着部１３と止着片４５との位置を一致させ、パネル溝部２４に通すドライバーなどでスライド用ビスｅを回転してスライド空部４８の内部に突入させることにより、押圧片４６をスライド空部４８の内部において上昇させ、スライドフィン４７をスライド空部４８からベース枠部材１１に向かって突出するように移動させ、止着片４５の先端部が止着部１３に充分に装着したら、前記止着部１３と止着片４５とに止着用ビスｆを一連に螺着してベース枠部材１１と受枠部材２１とを接続固定する。
【００１８】
前記ベース枠部材１１，受枠部材２１，スライド機構４１は長尺材であるから、スライド用ビスｅは適宜の間隔で設け、また止着用ビスｆも適宜の間隔で螺着してベース枠部材１１と受枠部材２１とを強固に接続固定することができる。
そして、この施工工程において、躯体に沿い固定されているベース枠部材１１と、高精度寸法の受枠部材２１との間に寸法差があれば、複数のスライド用ビスｅの回転状態を調節しながら、スライドフィン４７の突出長さを調整することにより、寸法差の補正をすることができる。例えば、ベース枠部材１１と受枠部材２１との間隔が短ければビスｅの回転を少なくして止着片４５の突出長さを少なくし、逆に前記間隔が長ければビスｅの回転を多くして止着片４５の突出長さを大きくすることにより、前記寸法差に対応することができる。
なお、下枠３については、見込み方向の一対の第２中空部２５と止着部１３のビスにより、下枠部材６をベース枠部材１１に固定する。
【００１９】
このようにしてベース枠部材１１と受枠部材２１とをスライド機構４１を使用して固定したら、前記額縁枠部材３１を受枠部材２１の室内側に位置させ、嵌着部３２を額縁受け部２８に横から嵌着保持し、嵌着部３２を支点にして額縁枠部材３１をベース枠部材１１に向け回動して係合フック３３を係止フック１５に係止固定する。
したがって、額縁枠部材３１は嵌着部３２、係合フック３３により固定されてベース枠部材１１、ベース部１２の室内側に位置し、室内側の化粧部分を構成することになる。
【００２０】
前記のようにして枠部材５が組み立てられると、上枠２及び縦枠４のパネル溝部２４にパネルｃの端縁を嵌め付けてビードで圧着するとともに、パネルｃの下縁を下枠のパネル溝部２４に嵌め付けて室外側の開放部分に押縁２９を装着し、ビードを使用してパネルｃの室外側下方を保持する。
尚、下枠において、パネル溝部２４の内部にブロック３０を適当な間隔で設置し、パネルｃの下縁を受け止めて荷重を支えている。
【００２１】
本発明の開口部枠材１においては、実際に施工する場合、あらかじめ受枠部材２１にスライド機構４１を設けておき、固定ビスｄによってベース枠部材１１を躯体ｂに固定した後に、スライド機構４１を介して受枠部材２１をベース枠部材１１に前記の通り固定する。
この施工作業において、開口部枠材１の取り付け部分が開口部ａの見込み方向の範囲内であり、額縁枠部材３１はベース枠部材１１、受枠部材２１の固定後に装着できるので、躯体ｂの室外側の外装部ｇ及び室内側の内装部ｈは、ベース枠部材１１や受枠部材２１の取り付け前に、若しくは取り付けと同時に作業することができ、特に内装部ｈの作業を終了したら、額縁枠部材３１を装着するのが好ましい。
したがって、開口部枠材１の施工作業に関係なく外装部ｇや内装部ｈの作業をすることができ、施工作業に自由度があって時間のロスを解消することができる。
【００２２】
尚、受枠部材２１の室外側第２中空部２５と外装部ｇの端縁とにスライドフィン４７による隙間が発生するので、シール材ｉを充填して遮蔽すればよいし、また内装部ｈの室内側の開口部ａ端縁にゴム、弾力性樹脂などからなる中空な緩衝材ｊを設けて額縁枠部材３１を装着した状態で受けポケット部３４を当接させると、室外側と室内側との遮断効果を高めることができる。
【００２３】
以上本発明を図面に示す実施例に基づいて説明したが、本発明は前記実施例に限定されるものではなく、特許請求の範囲に記載の構成を変更しない限りどのようにでも実施することができる。例えば、各枠部材の断面構造は図面の形態に限らないし、スライド機構の具体的構成も図面のものに限るものではない。本発明の特許請求の範囲に記載した範囲内の構成であり、かつ作用効果を奏する構成であれば、どのような形態であってもよい。
また、建築物壁面の開口部を引き違い窓や引き戸を設ける場合には上枠、下枠にレールを設けて左右の縦枠を戸当たり枠とするものであり、回転窓とする場合には、内部に回転窓枠を回動可能に支持することになる。
また、ベース枠部材、受枠部材及びスライド機構の組み立て順序は特に限定されるものではなく、機能的に各枠体が組み立てられるのであれば、どのような工程でもよいし、内装、外装の作業も最も効率のよいときに敷設作業をすることができる。また、額縁枠部材３１も、パネルを嵌め付ける前、パネルの嵌め付け後の何れの時でも係止固定することができ、特に建築施工の都合のよい時に作業をすればよい。
【００２４】
【発明の効果】
以上要するに、本発明は建築物の壁面開口部に設けてある躯体に固定するベース枠部材と、前記壁面開口部を直接若しくは間接に閉塞するパネルを受け入れる受枠部材とを少なくとも有し、前記受枠部材に外方に向かって延在可能なスライド機構を設け、前記ベース枠部材を躯体に固定した状態で、前記スライド機構を介してベース枠部材に前記受枠部材を固定してなることを特徴とする
【００２５】
したがって、開口部枠材の施工作業と外装部や内装部の敷設工事との関係において制約を受けないので、両作業を同時に行うことができ、時間のロスを著しく軽減できるので施工期間の短縮を図ることができる。また、躯体に対する枠部材の溶接、若しくは枠部材相互を溶接する必要がないので、熟練を要する必要がなくて誰にでも容易に施工作業をすることができる。しかも、スライド機構によって各枠部材の固定位置や係合位置がきわめて正確になり、歪んだりずれることがない。しかも、各枠部材の端部はストレートカットだけで現場施工ができるので、建築現場における部材加工の手間も省力化することができ、実用的価値の高いものとなる。
【図面の簡単な説明】
【図１】本発明の枠部材の実施の形態を示す分解斜視図である。
【図２】枠部材を開口部躯体に取り付ける途中の断面図である。
【図３】枠部材を躯体に固定した状態の一部の縦断面図である。
【図４】建築物の開口部に取り付けた状態の縦断面図である。
【図５】図４の横断面図である。
【符号の説明】
１  開口部枠材
２  上枠
３  下枠
４  縦枠
５  枠部材
６  下枠部材
１１  ベース枠部材
１２  ベース部
１３  止着部
１４  額縁受けアーム
１５  係止フック
１６  額縁受止片
２１  受枠部材
２２  ベース板部
２３  第１中空部
２４  パネル溝部
２５  第２中空部
２６  ビス支持部
２７  切欠空部
２８  額縁受け部
２９  押縁
３０  ブロック
３１  額縁枠部材
３２  嵌着部
３３  係合フック
３４  受けポケット部
４１  スライド機構
４２  囲い枠部
４３  取付部
４４  ガイドアダプター
４５  止着片
４６  押圧片
４７  スライドフィン
４８  スライド空部
ａ  開口部
ｂ  躯体
ｃ  パネル
ｄ  固定ビス
ｅ  スライド用ビス
ｆ  止着用ビス
ｇ  外装部
ｈ  内装部
ｉ  シール材
ｊ  緩衝材
【図１】
0004308397.tif 000002
【図２】
0004308397.tif 000003
【図３】
0004308397.tif 000004
【図４】
0004308397.tif 000005
【図５】
0004308397.tif 000006